(57)【要約】【課題】  再度デバイスを探索することなく管理者の負荷を軽減することが可能となる。【解決手段】  管理対象のデバイスを選択する工程、管理対象のデバイスグループを作成する工程、管理対象デバイスの登録先を選択する工程、管理対象のデバイスグループを削除する工程、削除された管理対象のグループに登録されていたデバイスの情報をグループに属さないデバイスとして登録し直す工程を有するリソースダウンロードプログラムにおけるデバイス管理方法を提供する。【選択図】  図１
2005196604.tif 000002
【特許請求の範囲】
【請求項１】
管理対象のデバイスを選択する工程、管理対象のデバイスグループを作成する工程、管理対象デバイスの登録先を選択する工程、管理対象のデバイスグループを削除する工程、削除された管理対象のグループに登録されていたデバイスの情報をグループに属さないデバイスとして登録し直す工程を有するリソースダウンロードプログラムにおけるデバイス管理方法。
【請求項２】
前記請求項１における管理対象のデバイスを選択する工程は、デバイスのモデル名により管理対象のデバイスを選択することを特徴とする、リソースダウンロードプログラムにおけるデバイス管理方法。
【請求項３】
前記請求項１における管理対象のデバイスを選択する工程は、デバイスのIPアドレスにより管理対象のデバイスを選択することを特徴とする、リソースダウンロードプログラムにおけるデバイス管理方法。
【請求項４】
前記請求項１における管理対象のデバイスグループを作成する工程は、対象リソース種別に依存する任意の名称をもったグループを作成することを特徴とする、リソースダウンロードプログラムにおけるデバイス管理方法。
【請求項５】
前記請求項１における管理対象デバイスの登録先を選択する工程は、ユーザーによって作成された任意のグループを選択することを特徴とする、リソースダウンロードプログラムにおけるデバイス管理方法。
【請求項６】
前記請求項１における管理対象デバイスの登録先を選択する工程は、リソース種別の大分類のグループを選択することを特徴とする、リソースダウンロードプログラムにおけるデバイス管理方法。
【請求項７】
前記請求項１における管理対象のデバイスグループを削除する工程は、ユーザーによって作成された任意のグループを削除することを特徴とする、リソースダウンロードプログラムにおけるデバイス管理方法。
【請求項８】
管理対象のデバイスを選択する手段、管理対象のデバイスグループを作成する手段、管理対象デバイスの登録先を選択する手段、管理対象のデバイスグループを削除する手段、削除された管理対象のグループに登録されていたデバイスの情報をグループに属さないデバイスとして登録し直す手段を有するリソースダウンロードプログラムにおけるデバイス管理装置。
【請求項９】
前記請求項８における管理対象のデバイスを選択する手段は、デバイスのモデル名により管理対象のデバイスを選択することを特徴とする、リソースダウンロードプログラムにおけるデバイス管理装置。
【請求項１０】
前記請求項８における管理対象のデバイスを選択する手段は、デバイスのIPアドレスにより管理対象のデバイスを選択することを特徴とする、リソースダウンロードプログラムにおけるデバイス管理装置。
【請求項１１】
前記請求項８における管理対象のデバイスグループを作成する手段は、対象リソース種別に依存する任意の名称をもったグループを作成することを特徴とする、リソースダウンロードプログラムにおけるデバイス管理装置。
【請求項１２】
前記請求項８における管理対象デバイスの登録先を選択する手段は、ユーザーによって作成された任意のグループを選択することを特徴とする、リソースダウンロードプログラムにおけるデバイス管理装置。
【請求項１３】
前記請求項８における管理対象デバイスの登録先を選択する手段は、リソース種別の大分類のグループを選択することを特徴とする、リソースダウンロードプログラムにおけるデバイス管理装置。
【請求項１４】
前記請求項８における管理対象のデバイスグループを削除する手段は、ユーザーによって作成された任意のグループを削除することを特徴とする、リソースダウンロードプログラムにおけるデバイス管理装置。
【請求項１５】
管理対象のデバイスを選択するモジュール、管理対象のデバイスグループを作成するモジュール、管理対象デバイスの登録先を選択するモジュール、管理対象のデバイスグループを削除するモジュール、削除された管理対象のグループに登録されていたデバイスの情報をグループに属さないデバイスとして登録し直すモジュールを有するリソースダウンロードプログラムにおけるデバイス管理プログラムを格納したことを特徴とする記憶媒体。
【請求項１６】
前記請求項１５における管理対象のデバイスを選択するモジュールは、デバイスのモデル名により管理対象のデバイスを選択することを特徴とする、リソースダウンロードプログラムにおけるデバイス管理プログラムを格納したことを特徴とする記憶媒体。
【請求項１７】
前記請求項１５における管理対象のデバイスを選択するモジュールは、デバイスのIPアドレスにより管理対象のデバイスを選択することを特徴とする、リソースダウンロードプログラムにおけるデバイス管理プログラムを格納したことを特徴とする記憶媒体。
【請求項１８】
前記請求項１５における管理対象のデバイスグループを作成するモジュールは、対象リソース種別に依存する任意の名称をもったグループを作成することを特徴とする、リソースダウンロードプログラムにおけるデバイス管理プログラムを格納したことを特徴とする記憶媒体。
【請求項１９】
前記請求項１５における管理対象デバイスの登録先を選択するモジュールは、ユーザーによって作成された任意のグループを選択することを特徴とする、リソースダウンロードプログラムにおけるデバイス管理プログラムを格納したことを特徴とする記憶媒体。
【請求項２０】
前記請求項１５における管理対象デバイスの登録先を選択するモジュールは、リソース種別の大分類のグループを選択することを特徴とする、リソースダウンロードプログラムにおけるデバイス管理プログラムを格納したことを特徴とする記憶媒体。
【請求項２１】
前記請求項１５における管理対象のデバイスグループを削除するモジュールは、ユーザーによって作成された任意のグループを削除することを特徴とする、リソースダウンロードプログラムにおけるデバイス管理プログラムを格納したことを特徴とする記憶媒体。
【発明の詳細な説明】
【技術分野】
【０００１】
本発明は、デバイスに印刷リソース（フォント、フォーム、マクロ、カラープロファイルなど）をダウンロードするリソースダウンローダーにおける、管理対象デバイスを管理するグループ化の操作に関するものである。
【背景技術】
【０００２】
従来のリソースダウンローダーにおいては、管理対象のデバイスを登録するためには、ダウンロード対象のリソース種別を指定したグループをあらかじめ作成し、そのグループに対してダウンロード対象のデバイスを登録していた。
【特許文献１】特開２００３−３２３３６４号公報
【発明の開示】
【発明が解決しようとする課題】
【０００３】
しかしながら、上記従来例では、次のような問題点があった。
【０００４】
管理対象のデバイスは作成されたグループに所属するものとして登録されており、グループを削除した場合にはそこに登録されているデバイスに関する情報も同時に削除されてしまい、そのデバイスを管理対象とするためには、再度デバイスの探索を行い、どこかのグループに登録を行わなければ管理対象デバイスにすることができなかった。さらに、デバイスの探索は時間がかかるため、管理者に対して余計な負荷をかけることとなっていた。
【課題を解決するための手段】
【０００５】
上記のような状況を鑑み、本発明では、リソースダウンローダーにおけるデバイスの管理方法を改善し、デバイスを個別に管理可能な状態を設け、デバイスが登録されているデバイス管理グループが削除された場合の、管理グループに登録されていたデバイスを、個別に設定可能な状態として登録しなおし、再度そのデバイスを探索登録行わなくても管理可能な状態にすることを目的とする。
【発明の効果】
【０００６】
以上述べたように、管理対象のデバイスを作成したグループに登録されているケースにおいて、グループを削除した場合にはそこに登録されているデバイスに関する情報を削除することなく、グループに属さないリソースダウンローダーの管理対象デバイスとして登録しなおすことにより、再度デバイスを探索することなく管理者の負荷を軽減することが可能となる。
【発明を実施するための最良の形態】
【０００７】
（実施例１）
図1は、本発明を実施したダウンローダーのメイン画面の例を表す図であり、同図を用いて本発明を説明する。
【０００８】
同図において、図１−（１）はダウンローダーが管理対象とするリソースデータの分類をあらわし、この分類によりデバイスにダウンロード可能なリソース種別およびダウンロード可能なデバイスが決定される。本発明の例では、日本語環境におけるダウンロードの例を用いており、図１−（１）に相当するリソース分類としては、「漢字TrueType Font/Form」、「PDLX Font/Form」、「高速PDLX Font/Form」、「カラー高速PDLX Font/Form」、「RGB入力プロファイル」、「CMYKシミュレーションプロファイル」、「出力プロファイル」などがあげられる。
【０００９】
図１−（２）はそれぞれのリソース分類の中に、管理者により作成されたデバイスグループの例を表すものである。ここの例では「出力センタ」、「編集室」、「校正用」のグループが作成されているものとする。編集室のグループには、8台のデバイスが登録されており、それぞれのIPアドレスは、192.168.1.11、192.168.1.12、192.168.1.13、192.168.2.21、192.168.2.22、192.168.2.30、192.168.2.201、192.168.2.211、が振られているものとする。図１−（３）は「PDLX Font/Form」の管理対象デバイスであり、いずれのグループにも登録されていないデバイスを表すものである。ここに列挙されているデバイスは、デバイスを個別に設定することが可能な状態である。図１−（４）はデバイスにダウンロードを行うリソースデータの設定状態を表す部分であり、図１−（５）はダウンロード時の状態を表示する部分である。図１−（４），図１−（５）に関しては本発明と直接関係する部分ではないため、詳細な説明は省略する。図１−（２）、図１−（３）に登録されているデバイスは、図２に示すような画面を用いてユーザーによって登録されたものである。図２−（１）はユーザーが管理対象デバイスを登録可能なリソース分類もしくは管理対象グループをあらわすものである。ユーザーは図２−（１）で登録対象グループの選択をおこない、図２−（２）に列挙されている登録可能なデバイスから、管理対象にするデバイスの選択を行い、登録ボタンを押下することで、デバイスのグループへの登録を行う。
【００１０】
次に図１−（２）、図１−（３）に登録されているデバイスの管理情報の例を、図３を用いて説明する。図３では、図１−（２）におけるグループ「編集室」に登録されたデバイスおよび、図１−（３）のリソース種別「PDLX Font/Form」に登録されているデバイス別設定可能なデバイスに関する情報を管理するテーブルの例である。ここでは説明を簡単にするために、図１に表示されているグループ「出力センター」および「校正用」に登録されているデバイスに関する情報は省略する。ここでは登録済みのデバイスに関する情報として、少なくともリソース分類情報、製品名に関する情報、IPアドレス、登録先グループに関する情報が登録されているものとする。デバイスとして登録されているが、どのグループにも属さない、デバイス別設定の状態になっているデバイスに関しては、登録グループの情報部分には「登録なし」ということが分かる情報がセットされているものとする。
【００１１】
次に図１のメイン画面において、図１−（２）における「編集室」のグループを選択して、そのグループを削除した場合の処理の流れについて図４を用いて説明する。
【００１２】
Ｓ４０１では、図１−（２）で削除対象として選択されたグループに関する情報を取得する。ここでは「編集室」が選択されたものとし、グループ名称は「編集室」であるこという情報を取得する。ここで取得する情報はこれに限ったものではなく、動作上必要なものがあれば図３に示した情報以外のものをグループに付随する情報として保持することが可能であることは言うまでもない。Ｓ４０２ではリソース分類に関する情報を取得する。ここではリソース分類は「PDLX Font/Form」である。Ｓ４０３においては、Ｓ４０２において取得を行ったリソース分類の情報を元に、そのリソース分類グループの中に登録されているデバイスの総数を取得しＳ４０４へ進む。Ｓ４０４では図３に示すテーブルのデバイスに関する情報を取得する。ここでは、説明を簡略化するために、デバイスに関する情報としては、製品名、ＩＰアドレス、登録グループに関する情報を記述するが、必要に応じてそれ以外の情報を保持することも当然可能である。Ｓ４０５では現在参照しているデバイスの登録グループがＳ４０１で取得したグループと同一であるかどうかの判定を行い、同一である場合はＳ４０６へ進み、同一でない場合はＳ４０７へ進む。Ｓ４０６では、現在参照しているデバイスは削除対象のグループに登録されていると判定されたため、参照中のデバイスに関する情報の登録グループに関する情報を登録なしに変更しＳ４０７へ進む。Ｓ４０７ではＳ４０３において取得を行ったデバイス数を元に、全てのデバイスに関する情報を参照、処理を行ったかどうかの判定を行い、全てのデバイスに関して処理を行っていない倍兄はＳ４０４へ進み上記の処理を繰り返し、す全てのデバイスに関して処理を行ったを判定した場合には処理を終了する。本処理を実行した結果の情報テーブルの例を図５に示す。
【図面の簡単な説明】
【００１３】
【図１】ダウンローダーのメイン画面の例を表す図である。
【図２】デバイス登録時の画面の例を表す図である。
【図３】本発明におけるデバイス登録情報の例を表す図である。
【図４】本発明におけるデバイス登録グループ削除時における処理の流れを表す図である。
【図５】本発明を用いたグループ削除後のデバイス登録情報の例を表す図である。
【図１】
2005196604.tif 000003
【図２】
2005196604.tif 000004
【図３】
2005196604.tif 000005
【図４】
2005196604.tif 000006
【図５】
2005196604.tif 000007